(57)【要約】【課題】消費電力を抑えつつ、効率よく電波を受信することができる受信装置を提供すること。【解決手段】電波を受信するアンテナ素子部と、アンテナ素子部に接続される低雑音増幅器を含むアンテナ整合部と、アンテナ素子部により受信された信号を基に低雑音増幅部を制御する制御部と、を備え、前記制御部は、アンテナ素子部を介して受信された信号から、ＯＦＤＭ復調部により検出された受信信号の状況に応じて、アンテナ整合部に含まれる低雑音増幅器を制御する。【選択図】図１
2008199347.tif 000002
【特許請求の範囲】
【請求項１】
電波を受信するアンテナと、該アンテナに接続される低雑音増幅部と、該アンテナにより受信された信号を基に前記低雑音増幅部を制御する制御部と、を備え、
前記制御部は、該アンテナを介して受信された信号の状況に応じて、前記低雑音増幅部を制御することを特徴とする受信装置。
【請求項２】
該制御部は、該アンテナを介して受信された信号の状況に応じて、前記低雑音増幅部をＯＮ／ＯＦＦで制御することを特徴とする請求項１に記載の受信装置。
【請求項３】
前記アンテナの数を２本とし、該アンテナに接続される切換部と、該アンテナにより受信された信号を基に前記切換部を制御する制御部と、を更に有し、
前記２本のアンテナの一方のみに低雑音増幅部を接続することを特徴とする請求項１又は２に記載の受信装置。
【請求項４】
前記アンテナの数を２本とし、該アンテナに接続される切換部と、該アンテナにより受信された信号を基に前記切換部を制御する制御部と、該２本のアンテナの一方のみに接続された低雑音増幅部と、を更に有し、
前記制御部は、該アンテナを介して受信された信号の状況に応じて、モード切換とアンテナ切換に連動して低雑音増幅部を制御することを特徴とする請求項１又は２に記載の受信装置。
【発明の詳細な説明】
【技術分野】
【０００１】
本発明は、受信装置に関する。
【背景技術】
【０００２】
携帯電話等に代表される移動体通信システムでは、ビル等の電波に対する障害物の多い都市部等において、基地局と移動体通信端末との間に経路長の異なる複数の伝送路（マルチパス）が発生するマルチパス環境となることが多い。このようなマルチパス環境下では、マルチパスフェージングにより、移動体通信端末の受信電力レベルは、移動に伴い変動する。そして、場所によっては受信電力レベルが所要電力レベル（通話可能最低レベル）を下回るという問題が発生する。
【０００３】
ここで、マルチパスフェージングとは、発信源からの経路長の異なる複数の伝送路（パス）を通った信号を一緒に受信した場合に、信号パスの経路長の違いによって生じる信号の位相差により、受信した信号が互いに相殺し、あるいは重畳した結果、受信場所により受信レベルが変動する現象を言う。特に、信号が互いに相殺された場合に、受信電力レベルが低下して受信機の受信限界を下回ることが携帯通信端末において問題となっている。
【０００４】
さらに、携帯及び移動体の地上デジタルテレビ放送受信機についても、移動体通信システムと同様にマルチパスフェージングの影響により受信状況が悪くなるという問題がある。
【０００５】
上記の問題に対しては、アンテナとチューナの間に低雑音増幅器（ＬＮＡ）を配置する受信方式が提案されている。また複数のアンテナを移動体端末に装備したダイバーシチ受信方式が提案されている。
【０００６】
図１６はアンテナとチューナの間に低雑音増幅器（ＬＮＡ）を配置した構成図である。受信信号強度が小さい場合には低雑音増幅器（ＬＮＡ）により所定の受信信号レベルになるように増幅される。逆に受信信号強度が大きい場合は、低雑音増幅器（ＬＮＡ）の増幅率を所定の増幅率よりも小さく調整して、周波数変換回路２０５に大きな信号レベルの受信信号が入力されることを防止する受信回路が提案されている（例えば、特許文献１参照）。
【０００７】
また、図１７に示すように、ダイバーシチ受信の場合、各々のアンテナに低雑音増幅器（ＬＮＡ）を接続し、低雑音増幅器をそれぞれ調整することにより、信号を受信する受信装置も提案されている（例えば、特許文献２参照）。
【特許文献１】特開２００５−９４５０２号公報
【特許文献２】特開２００６−２７９２１２号公報
【発明の開示】
【発明が解決しようとする課題】
【０００８】
上記背景技術で説明した受信装置では、急激に変化する受信環境下では所定の受信レベルを維持することが難しいという問題があった。またアンテナとチューナの間に低雑音増幅器（ＬＮＡ）を配置した構成で、かつダイバーシチ受信の場合、各々の低雑音増幅器（ＬＮＡ）を所定の値になるように制御することが一層複雑になり、制御が難しいという問題があった。
【０００９】
さらに、デジタル放送の場合、受信状態は２値的に変化するため、閾値の設定をすることが難しく、所定の受信レベルを維持することが難しいといった問題点があった。また、ＬＮＡが各アンテナに接続されている場合、各ＬＮＡを制御することにより消費電力が大きくなってしまうといった問題点があった。
【００１０】
上述した課題に鑑み、本発明が目的とするところは消費電力を抑えつつ、効率よく電波を受信することができる受信装置を提供することである。
【課題を解決するための手段】
【００１１】
本発明に係る受信装置は、電波を受信するアンテナと、該アンテナに接続される低雑音増幅部と、該アンテナにより受信された信号を基に前記低雑音増幅部を制御する制御部と、を備え、前記制御部は、該アンテナを介して受信された信号の状況に応じて、前記低雑音増幅部を制御する。
【００１２】
また、本発明に係る受信装置において、該制御部は、該アンテナを介して受信された信号の状況に応じて、前記低雑音増幅部をＯＮ／ＯＦＦで制御することを特徴とする。
【００１３】
また、本発明に係る受信装置において、前記アンテナの数を２本とし、該アンテナに接続される切換部と、該アンテナにより受信された信号を基に前記切換部を制御する制御部と、を更に有し、前記２本のアンテナの一方のみに低雑音増幅部を接続することを特徴とする。
【００１４】
また、本発明に係る受信装置において、前記アンテナの数を２本とし、該アンテナに接続される切換部と、該アンテナにより受信された信号を基に前記切換部を制御する制御部と、該２本のアンテナの一方のみに接続された低雑音増幅部と、を更に有し、前記制御部は、該アンテナを介して受信された信号の状況に応じて、モード切換とアンテナ切換に連動して低雑音増幅部を制御することを特徴とする。
【発明の効果】
【００１５】
本発明によれば、アンテナにより受信された信号を基に、アンテナに接続される低雑音増幅部を制御することとなる。したがって、受信された信号に基づいて、低雑音増幅部を制御することにより、適切な受信レベルの調整が可能な受信装置を実現できる。
【００１６】
また、本発明によれば、アンテナを介して受信された信号の状況に応じて、低雑音増幅部をＯＮ／ＯＦＦで制御することができる。したがって、より簡単な制御で適切な受信レベルの調整が可能な受信装置を実現できる。
【００１７】
また、本発明によれば、アンテナの数が２本の受信装置において、当該アンテナに接続される切換部と、切換部を制御する制御部とを有し、２本のアンテナの一方のみ低雑音増幅部が接続されることとなる。したがって、例えばダイバーシチアンテナ構成でも、１本のアンテナの場合と同様に簡単な制御で適切な調整が可能な受信装置を実現できる。また、２本のアンテナの一方のみに低雑音増幅部が接続されることにより、消費電力を抑えることが出来るようになる。
【００１８】
また、本発明によれば、アンテナの数が２本の受信装置において、当該アンテナに接続される切換部と、切換部とを制御する制御部とを有し、当該アンテナの一方のみ低雑音増幅部とを更に有しており、当該制御部は、アンテナを介して受信された信号の状況に応じて、モード切換とアンテナ切換に連動して低雑音増幅部を制御することとなる。したがって、不必要な切換動作が少なくなり、受信状態をより反映した受信制御が可能となる。
【発明を実施するための最良の形態】
【００１９】
〔第１実施形態〕
以下、本発明を適用した場合のアンテナモジュール受信端末及び制御方法について図面を参照しながら説明を行う。本実施形態によるアンテナモジュール受信端末は、地上デジタル放送を受信することのできる携帯端末型のデジタル放送受信装置である。図１は、本実施形態による地上デジタル放送を受信可能な携帯端末型のデジタル放送受信装置１の全体構成を示す機能ブロック図である。
【００２０】
図１に示すように、デジタル放送受信装置１は、アンテナ整合部４と、チューナ部７と、ＯＦＤＭ復調部８と、制御部９とを有したフロントエンド部１０と、ＴＳ−ＤＥＭＵＸ部１１と、映像信号処理部１２と、データ信号処理部１３と、オーディオ信号処理部１４とを有したバックエンド部１５と、映像表示部１６と、オーディオ出力部１７と、アンテナ素子部２とを備えている。
【００２１】
デジタル放送受信装置１において、アンテナ素子部２で受けた放送局からの信号は、アンテナ整合部４を通ってチューナ部７により所望のチャンネルに選択され、ＯＦＤＭ復調部８に出力される。チューナ部７から選択出力された信号（ＩＦ信号）は、ＯＦＤＭ復調部８においてアナログ・デジタル変換機能によりデジタル信号に変換される。デジタル信号に変換されたＩＦ信号は、同じくＯＦＤＭ復調部８によりＯＦＤＭ復調及び復号され、ＴＳ信号として出力される。さらに、ＯＦＤＭ復調部８で復調された信号に基づく情報が制御部９に送られる。
【００２２】
制御部９では、受信した信号の情報により制御信号を生成しアンテナ整合部４を制御する。またＯＦＤＭ復調部８からの信号によりチューナ部７の後述するアンプ部を制御する。
【００２３】
ＯＦＤＭ復調部８から出力されたＴＳ信号は、ＴＳ−ＤＥＭＵＸ部１１により多重分離され、それぞれの映像／音声／データ放送などのストリーム信号が出力される。出力されたストリーム信号は、それぞれ、映像信号処理部１２と、オーディオ信号処理部１４と、データ信号処理部１３と、に送られ、情報の復号処理が行われる。映像はＭＰＥＧ−２またはＭＰＥＧ−４ＡＶＣなどのデコード処理等が行われ、オーディオでは主にＡＡＣデコード処理が行われる。データ放送はカルーセルの処理を行い、映像信号等が埋め込まれた情報も処理し、静止画や簡易動画等として出力される。
【００２４】
復号処理されたストリーム信号は、映像表示部１６及びオーディオ出力部１７から視聴可能な情報として出力される。データ信号の中に映像信号やオーディオ信号が含まれている場合は、映像信号処理部１２及びオーディオ信号処理部１４において信号処理が行われ、映像表示部１６及びオーディオ出力部１７により視聴可能な情報として出力される。テキストデータなどの場合には、図示していないＣＰＵ、ＲＡＭ上などで動作するブラウザやアプリケーションよって情報処理され、同様に映像表示部１６やオーディオ出力部１７から視聴可能な情報として出力される。また、フロントエンド部１０とバックエンド部１５との動作状況は、図示していないＣＰＵ等によって制御されている。
【００２５】
次に、アンテナ整合部４の詳細な構成について図２を参照して説明する。アンテナ素子部２は、アンテナ整合部４を介してチューナ部７に接続されている。アンテナ整合部４は、第１のコイル素子４０１、第２のコイル素子４０２及び低雑音増幅器（ＬＮＡ）４０３を備えて構成されている。アンテナ素子部２と低雑音増幅器（ＬＮＡ）４０３との間に、第１のコイル素子４０１及び第２のコイル素子４０２を設けることにより、低雑音増幅器（ＬＮＡ）４０３へのインピーダンス整合を行い、受信信号をロスなくチューナ部７に入力させることができる。
【００２６】
図３は、デジタル放送受信装置１のチューナ部７の一構成例を示す図である。図３に示すように、チューナ部７は、ＲＦアンプ部７１と、ミキサ部７２と、ＩＦフィルタ部７３と、ＩＦアンプ部７４と、ＰＬＬ部７５と、を備えて構成されている。チューナ部７に入力された信号（ＲＦ信号）はＲＦアンプ部７１で増幅され、ミキサ部７２ではＰＬＬ部７５で設定された周波数に応じたＩＦ信号に変換される。そのＩＦ信号はＩＦフィルタ部７３で不要な信号成分を除去し、ＩＦアンプ部７４で増幅され、チューナ部７から出力される。ＲＦアンプ部７１及びＩＦアンプ部７４での増幅率は、チューナ部７から出力が一定のレベルになるように、ＯＦＤＭ復調部８からＡＧＣ（オートゲインコントロール）制御される。
【００２７】
次に、制御パラメータ（ＯＦＤＭ）について説明する。図４は、本実施の形態によるデジタル放送受信装置１のフロントエンド部１０内の復調部８の一構成例を示す機能ブロック図である。低雑音増幅器（ＬＮＡ）４０３の制御に使用する情報は、この復調部８から得ることができる。
【００２８】
デジタル放送受信装置のチューナ部７においてＩＦ信号に変換された受信電波はデジタル化され、直交復調部８１へ入力される。直交復調部８１及び次段の位相補正部８２では、受信信号に対して時間領域で信号処理を行う。すなわち、時間軸データに対してフィルタ処理やキャリアクロックなどの補正処理を行い、後述するＦＦＴ部８３の取り込み開始ポイントを決め、ＦＦＴ部８３に受信信号データを出力する処理などを行う。位相補正部８２で得られたＦＦＴに関する情報は、ＦＦＴ情報出力部９３に出力される。ＦＦＴ部８３に入力された信号は、フレーム同期部８４を経て、検波部８５へ出力される。検波部８５においてＴＭＣＣ情報を検出し、ＴＭＣＣ情報出力部９４に渡されここから出力される。同じく検波部８５においては、受信電力及びＣ／Ｎに関するパラメータが検出され、受信電力出力部９５及びＣ／Ｎ出力部９６へ出力される。
【００２９】
検波部８５から出力されたＴＳ（Transport Stream）に関する信号は、その後、周波数・時間デインターリーブ部８６、ビットデインターリーブ部８７、ビタビ復号部８８、バイトデインターリーブ部８９、エネルギー拡散部９０、ＴＳ再生部９１、ＲＳ（Reed-Solomon）復号部９２を経て、ビット誤り率（ＢＥＲ)に関するパラメータとＴＳがＢＥＲ出力部９７とＴＳ出力部９８に出力される。尚、ＢＥＲはＲＳをＯＦＦにした時の値を出力し、基準値を満たした場合にＲＳをＯＮにし、ＴＳを出力するように設定することも可能である。また、受信映像と受信感度を同時に表示する場合はＲＳ後のＢＥＲを検出し、ＴＳも常にデコーダ部へ送出しておくことも可能である。
【００３０】
上述した、ＦＦＴ情報出力部９３、ＴＭＣＣ情報出力部９４、受信電力出力部９５、Ｃ／Ｎ出力部９６、ＢＥＲ出力部９７及びＴＳ出力部９８は、制御部９に送る制御信号を生成する情報として使用することができる。
【００３１】
図５は、制御部９の動作の一例を示すフローチャートである。ここでは、受信信号の受信電力及びＣ／Ｎの情報を制御に使用し、低雑音増幅器（ＬＮＡ）４０３をＯＮ／ＯＦＦで制御する例を示す。受信信号の受信電力及びＣ／Ｎの情報は、図４で説明した受信電力出力部９５及びＣ／Ｎ出力部９６から得ることができる。
【００３２】
図５において、処理が開始されると（ＳＴＲＡＴ）、まずステップＳ５１において、現在、低雑音増幅器（ＬＮＡ）４０３において所定の増幅率で信号が増幅されているかどうかを判定する。ここで、「ＬＮＡ  ＯＮ」が信号を所定の増幅率で増幅している状態を示し、「ＬＮＡ  ＯＦＦ」が増幅しない状態（ＬＮＡを通らない状態）を示す。低雑音増幅器（ＬＮＡ）４０３で受信信号を増幅している場合（ステップＳ５１；Ｙ）は、ステップＳ５２に移行する。
【００３３】
ステップＳ５２において、受信電力が所定値αより大きいか、または１０秒平均Ｃ／Ｎが所定値βより大きいかを判定する。受信電力が所定値αより大きい、または１０秒平均Ｃ／Ｎが所定値より大きい場合（ステップＳ５２；Ｙ）は、ステップＳ５３においてＬＮＡをＯＦＦにして、フローを終了する。ステップＳ５２において、受信電力が所定値α以下、かつ１０秒平均Ｃ／Ｎが所定値β以下の場合（ステップＳ５２；Ｎ）は、ＬＮＡはＯＮの状態のまま終了する。
【００３４】
また、ステップＳ５１において、ＬＮＡがＯＦＦの場合（ステップＳ５１；Ｎ）は、ステップＳ５４に移行する。ステップＳ５４において、受信電力が所定値αより小さく、かつ１０秒平均Ｃ／Ｎが所定値βより小さい場合（ステップＳ５４；Ｙ）は、ＬＮＡをＯＮにして終了する。ステップＳ５４において、受信電力が所定値α以上、または１０秒平均Ｃ／Ｎが所定値β以上の場合（ステップＳ５４；Ｎ）は、ＬＮＡがＯＦＦの状態のまま終了する。
【００３５】
ここで、図５のステップＳ５２及びＳ５４で使用する期間平均Ｃ／Ｎを取得するフローチャートについて、図６を参照して説明する。図６のフローチャートは、図５で説明したフローチャートと並行して動作している。図６において、処理が開始されると（ＳＴＲＡＴ）、まずステップＳ６１において、５００ｍ秒間隔でＣ／Ｎを取得する。次にステップＳ６３において、例えば１０秒間の平均Ｃ／Ｎを計算し、期間平均Ｃ／Ｎに記録されている値を更新する。ステップＳ６５でＣ／Ｎ計測のフローチャートを終了するかどうか判定し、終了しない場合（ステップＳ６５；Ｎ）はステップＳ６１に戻り、終了する場合（ステップＳ６５；Ｙ）はＣ／Ｎ計測を終了する。
【００３６】
以上の制御により、適切なレベルでの受信が可能になるとともに、適切にＬＮＡをＯＦＦにすることにより消費電力の低減にも貢献できる。
【００３７】
〔第２実施形態〕
次に、第２実施形態によるアンテナモジュール受信端末及び制御方法について図面を参照しながら説明を行う。第２実施形態におけるアンテナモジュール受信端末は、地上デジタル放送を受信することのできるダイバーシチアンテナを備えた携帯端末型のデジタル放送受信装置である。図７は、本実施形態による地上デジタル放送を受信可能なダイバーシチアンテナを備えた携帯端末型のデジタル放送受信装置２１の全体構成を示す機能ブロック図である。
【００３８】
図７に示すように、デジタル放送受信装置２１は、アンテナ整合部２４と、アンテナ整合部２５と、切換部２６と、チューナ部２７と、ＯＦＤＭ復調部２８と、制御部２９とを有したフロントエンド部３０と、ＴＳ−ＤＥＭＵＸ部１１と、映像信号処理部１２と、データ信号処理部１３と、オーディオ信号処理部１４とを有したバックエンド部１５と、映像表示部１６と、オーディオ出力部１７と、アンテナ素子部２２と、アンテナ素子部２３と、を備えている。なお、図１にデジタル放送受信装置１と同一の構成要素には同一の符号を付し、詳細な説明を省略する。
【００３９】
図７に示すデジタル放送受信装置２１において、アンテナ素子部２２で受けた放送電波からの信号は、アンテナ整合部２４、切換部２６を通ってチューナ部２７により所望のチャンネルに選択され、ＯＦＤＭ復調部２８にＩＦ信号として出力される。選択出力されたＩＦ信号は、ＯＦＤＭ復調部２８においてアナログ・デジタル変換機能によりデジタル信号に変換される。デジタル信号に変換されたＩＦ信号は、同じくＯＦＤＭ復調部２８により復調及び復号され、ＴＳ信号として出力される。さらに、ＯＦＤＭ復調部２８で復調された信号に基づく情報を制御部２９に送る。制御部２９では、受信した信号の情報により制御信号を生成し、アンテナ整合部２４及び切換部２６を制御する。
【００４０】
アンテナ素子部２２での受信状況が悪いと判断した場合には、切換部２６により、アンテナ素子部２２からアンテナ素子部２３に切り換えて放送電波を受信する。上記と同様にアンテナ素子部２３で受けた放送電波からの信号は、アンテナ整合部２５、切換部２６を通ってチューナ部２７により所望のチャンネルに選択され、ＯＦＤＭ復調部２８にＩＦ信号として出力される。選択出力されたＩＦ信号は、ＯＦＤＭ復調部２８においてアナログ・デジタル変換機能によりデジタル信号に変換される。デジタル信号に変換されたＩＦ信号は、同じくＯＦＤＭ復調部２８により復調及び復号され、ＴＳ信号として出力される。
【００４１】
ＯＦＤＭ復調部２８から出力されたＴＳ信号はＴＳ−ＤＥＭＵＸ部１１により多重分離され、それぞれの映像／音声／データ放送などのストリームが出力される。分離された信号はそれぞれ、映像信号処理部１２と、オーディオ信号処理部１４と、データ信号処理部１３と、に送られ、情報の復号処理が行われる。映像はＭＰＥＧ−２またはＭＰＥＧ−４ＡＶＣなどのデコード処理等が行われ、オーディオでは主にＡＡＣデコード処理が行われる。データ放送はカルーセルの処理を行い、映像信号等が埋め込まれた情報も処理し、静止画や簡易動画等として出力される。
【００４２】
復号処理されたストリーム信号は、映像表示部１６及びオーディオ出力部１７から視聴可能な情報として出力される。データ信号の中に映像信号やオーディオ信号が含まれている場合は、映像信号処理部１２及びオーディオ信号処理部１４において信号処理が行われ、映像表示部１６及びオーディオ出力部１７により視聴可能な情報として出力される。テキストデータなどの場合には、図示していないＣＰＵ、ＲＡＭ上などで動作するブラウザやアプリケーションよって情報処理され、同様に映像表示部１６やオーディオ出力部１７から視聴可能な情報として出力される。フロントエンド部３０とバックエンド部１５との動作状況は、図示していないＣＰＵ等によって制御されている。
【００４３】
次に、アンテナ素子部２２及び切換部２６の詳細な構成について図８を参照して説明する。図８は、アンテナ素子部２２及び２３と、アンテナ整合部２４及び２５と、切換部２６との詳細な構成を示す図である。
【００４４】
アンテナ素子部２２は、アンテナ整合部２４、及び切換部２６を介してチューナ部２７に接続されている。アンテナ整合部２４は、第１のコイル素子４２１、第２のコイル素子４２２及び低雑音増幅器（ＬＮＡ）４２３を備えて構成されている。第１のコイル素子４２１と第２のコイル素子４２２を設けることにより、低雑音増幅器（ＬＮＡ）４２３へのインピーダンス整合を行い、受信信号をロスなくチューナ部２７に入力させることができる。
【００４５】
同様に、アンテナ素子部２３は、アンテナ整合部２５及び切換部２６を介してチューナ部２７に接続されている。アンテナ整合部２５は、第１のコイル素子５２１及び第２のコイル素子５２２を備えて構成されている。第１のコイル素子５２１と第２のコイル素子５２２を設けることにより、受信信号をロスなくチューナ部２７に入力させることができる。
【００４６】
ここで、デジタル放送受信装置２１のチューナ部２７と、ＯＦＤＭ復調部２８は、第１実施形態で説明したデジタル放送受信装置１のチューナ部７と、ＯＦＤＭ復調部８と基本的には同じ構成である。すなわち、チューナ部２７は図３のチューナ部７の構成と、ＯＦＤＭ復調部２８は図４のＯＦＤＭ復調部８の構成と基本的には同じである。ただし、デジタル放送受信装置２１では、ＯＦＤＭ復調部２８から、２本のアンテナを切り換えるための制御信号を制御部２９へ送る必要があり、そのための図示していない出力端子を有する等、ＯＦＤＭ復調部８と異なる場合がある。また同様にチューナ部２７も性質の異なる２本のアンテナに対応するために、ＲＦ信号の入力部の仕様等がチューナ部７と異なる場合もある。
【００４７】
図９から図１３は、制御部２９の動作の一例を示すフローチャートである。ここでは、図５で説明した、受信信号の受信電力及びＣ／Ｎの情報に加えて、受信信号のビット誤り率（ＢＥＲ）及びＣ／Ｎの情報をダイバーシチ制御に使用する例を示す。なお、ビット誤り率（ＢＥＲ）の代わりにパケット誤り率（ＰＥＲ）を使用しても良い。
【００４８】
図９において、処理が開始されると（ＳＴＲＡＴ）、まずステップＳ９１において制御に必要な各種パラメータの初期値を設定する。具体的には、アンテナ素子部２の期間平均Ｃ／Ｎ（１）を「０」に、アンテナ素子部３の期間平均Ｃ／Ｎ（２）を「３」に設定する。またアンテナ切換判定フラグ（ＡＦ）を「True」、ビットエラー連続回数（ＢＮ）を「０」、アンテナ切換連続回数（Ｎ）を「０」に設定する。また、受信するアンテナをデフォルトアンテナ（例えばアンテナ素子部２２）として設定する。ここで、ビットエラー連続回数（ＢＮ）とは、測定したビット誤り率（ＢＥＲ）がしきい値Ｓを連続して超えた回数のことをいう。例えば、ＢＥＲがしきい値Ｓを５回連続して超えた場合は、ＢＮは「５」となる。
【００４９】
つづいて、ステップＳ９２において、アンテナ切換制御を実行するかどうか判定し、実行しない場合（ステップＳ９２；Ｎ）は制御を終了し、通常の受信制御状態に戻る。アンテナ切換制御を実行する場合（ステップＳ９２；Ｙ）はアンテナ切換制御を開始する。
【００５０】
ステップＳ９３において、判定フラグ（ＡＦ）が「True」でない場合（ステップＳ９３；Ｎ）は、長期モニターモードのフローチャート（Ｂ）に移行する。判定フラグ（ＡＦ）が「True」の場合（ステップＳ９３；Ｙ）は、ステップＳ９４に移行する。
【００５１】
ステップＳ９４では、ビット誤り回数ＢＮが「５」回を超えるかどうか判定する。ＢＮが「５」回以下の場合（ステップＳ９４；Ｎ）は、長期モニターモードのフローチャート（Ｂ）に移行する。ＢＮが「５」回より大きい場合（ステップＳ９４；Ｙ）は、短期切換モードのフローチャート（Ａ）に移行する。
【００５２】
次に図１０を参照して短期切換モードのフローチャート（Ａ）について説明する。短期切換モードのフローチャート（Ａ）では、まずステップＳ１０１において、アンテナを切り換える。図９のステップＳ９４で、ＢＮが「５」となった場合、すなわちＢＥＲがしきい値Ｓより大きい状態が連続して「５」回継続したアンテナがアンテナ素子部２２の場合は、アンテナ素子部２３に切り換える。逆に、図９のステップＳ５４でＢＥＲがしきい値Ｓより大きい状態が連続して５回継続したアンテナがアンテナ素子部２３であれば、アンテナ素子部２２に切り換える。
【００５３】
アンテナを切り換えた後、ステップＳ１０２において、アンテナ素子部２２かどうか判定し、アンテナ素子部２２の場合は、ＬＮＡ２４をＯＮにして（ステップＳ１０３）、ステップＳ１０４に移行する。ここでアンテナ切換が起こる場合は、受信信号レベルが低い場合と考えられるため、切り換えたアンテナがアンテナ素子部２２の場合に限り、ＬＮＡをＯＮにする。ステップＳ１０２において、アンテナ素子部２２でない場合は、ステップＳ１０３を通らずステップＳ１０４に移行する。
【００５４】
アンテナを切り換えた後、ステップＳ１０４において、一定時間（例えば１０００ｍ秒間）、切り換えたアンテナでの受信状態を維持する。次にステップＳ１０５で、再度計測されたＢＥＲに基づいて、ＢＥＲがしきい値以下かどうか判定する。ＢＥＲがしきい値Ｓ以下の場合（ステップＳ１０５；Ｙ）は、ステップＳ１０６に移行し、どちらのアンテナで受信しているかを判定する。
【００５５】
ステップＳ１０５において、アンテナ素子部２２で受信している場合（ステップＳ１０５；Ｙ）、またはアンテナ素子部２３で受信していて、かつアンテナ素子部２２の期間平均Ｃ／Ｎ（１）がアンテナ素子部２３の期間平均Ｃ／Ｎ（２）より小さい場合（ステップＳ１０５；Ｙ）はステップＳ１０７に移行する。ステップＳ１０７において、ビットエラー連続回数（ＢＮ）を「０」に、アンテナ切換連続回数（Ｎ）を「０」に設定し、アンテナ切換判定フラグ（ＡＦ）を「False」に設定して（ステップＳ１０８）、図９のフローチャートのＣに戻る。
【００５６】
ステップＳ１０５及びステップＳ１０６でＮの場合、ステップＳ１０９に移行する。ステップＳ１０９ではアンテナ切換の回数Ｎが所定の回数（例えば「３０」回）を超えているかどうか判定し所定の回数を超えている場合（ステップＳ１０９；Ｙ）はステップＳ１０７に移行する。アンテナ切換回数が所定の回数を超えていない場合（ステップＳ１０９；Ｎ）は、ステップＳ１１０において、アンテナ切換の回数Ｎをインクリメントして、再度アンテナ切換を実行する（ステップＳ１０１）。
【００５７】
次に図１１を参照して長期モニターモードのフローチャート（Ｂ）について説明する。まず、現在アンテナ素子部２２（デフォルトアンテナ）が選択されているか否かを判定する（ステップＳ１１１）。選択されているアンテナがアンテナ素子部２２（デフォルトアンテナ）の場合（ステップＳ１１１；Ｙ）、アンテナモジュール制御（ステップＳ１１２）の処理を実行し、ステップＳ１１３に移行する。ここで、アンテナモジュール制御（ステップＳ１１２）の処理は、例えば、図５で説明した処理を行う。ステップＳ１１１において、アンテナ素子部２２（デフォルトアンテナ）でない場合（Ｎ）は、アンテナモジュール制御の処理を実行せずに、ステップＳ１１３に移行する。
【００５８】
続いて、アンテナの固定時間を設定する（ステップＳ１１３）。例えば、ここでは「６０」秒に設定する。そして、アンテナ固定時間が経過している場合（ステップＳ１１４；Ｙ）は、アンテナ切換判定フラグ（ＡＦ）を「True」に設定して（ステップＳ１１５）、図９のＣのフローチャートに戻る。
【００５９】
次に、図１０のステップＳ１０６で使用するアンテナ素子部２２の期間平均Ｃ／Ｎ（１）及びアンテナ素子部２３の期間平均Ｃ／Ｎ（２）を取得するフローチャートについて、図１２を参照して説明する。図１２のフローチャートは、図９〜図１１で説明したフローチャートと並行して動作している。
【００６０】
図１２において、まずステップＳ１２１において、「５００ｍ秒」間隔でＣ／Ｎを取得する。次に、ステップＳ１２２において、どちらのアンテナで受信しているかを判定する。ここで、アンテナ素子部２２で受信していると判定された場合（ステップＳ１２２；Ｙ）、ステップＳ１２３において、例えば「１０秒」間の平均Ｃ／Ｎを計算し、アンテナ素子部２２の期間平均Ｃ／Ｎ（１）に記録されている値を更新する。他方、アンテナ素子部２３で受信している場合（ステップＳ１２２；Ｎ）、ステップＳ１２４において「１０秒」間の平均Ｃ／Ｎを計算し、アンテナ素子部２３の期間平均Ｃ／Ｎ（２）に記録されている値を更新する。
【００６１】
そして、ステップＳ１２５でＣ／Ｎ計測のフローチャートを終了するかどうか判定し、終了しない場合（ステップＳ１２５；Ｎ）はステップＳ１２１に戻り、終了する場合（ステップＳ１２５；Ｙ）はＣ／Ｎ計測を終了する。
【００６２】
上記の制御方法では、制御パラメータとしてビット誤り率（ＢＥＲ）及びＣ／Ｎの情報を使用したが、同様に図４に示した各種パラメータ、すなわち、受信電力、ＦＦＴ情報、ＴＭＣＣ情報、ＴＳ等を制御パラメータとして適用可能である。
【００６３】
ビット誤り率（ＢＥＲ）及びＣ／Ｎを含めた各パラメータに関しては、図７のデジタル放送受信装置２１のフロントエンド部３０内のＯＦＤＭ復調部２８内の処理において、後の方の段階で得られる情報であり、これらのパラメータで制御することにより、より正確な制御が可能となる。すなわち、Ｃ／Ｎは、雑音レベルを考慮した受信電力（Ｃ：キャリア信号）と考えることができる。したがって受信電力だけで制御するよりも、より正確な制御が可能となる。ビット誤り率（ＢＥＲ）は、誤ったビットの比率を表しており、Ｃ／Ｎと同様に、ＢＥＲを制御パラメータとして使用することで、受信電力だけで制御するよりも、より正確な制御が可能となる。
【００６４】
また、ＴＳ情報は映像や音声信号の情報そのものであり、このＴＳ情報が得られるかどうかをしきい値に設定することにより、上記と同様の制御が可能となる。
【００６５】
一方、前の方の段階で得られる情報は、情報を得るまでの処理時間が短くできるため、より高速な制御が可能となる。具体的に説明すると、各パラメータは以下のような特徴がある。
【００６６】
ＦＦＴ情報からはＯＦＤＭ復調における同期状態を検知できる。同期がはずれたかどうかをしきい値に設定することにより、上記と同様の制御が可能となる。
【００６７】
ＴＭＣＣ情報は、階層構成や各ＯＦＤＭセグメントの伝送パラメータ等、受信機の復調動作に関わる情報である。ＴＭＣＣ情報が取得できたかどうかをしきい値に設定することにより、上記と同様の制御が可能となる。尚、ＴＭＣＣキャリアはＤＢＱＰＳＫ変調方式で変調されており、ＴＭＣＣ情報は、映像や音声信号の情報よりも受信しやすくなっているため、厳しい受信環境での制御に適している。
【００６８】
これらの情報を個別に利用して制御しても良いが、複数の情報を組み合わせて使用することも可能である。
【００６９】
〔第３実施形態〕
次に、第３実施形態について説明する。第３実施形態は、上記第１実施形態、第２実施形態において、受信信号の受信電力及びＣ／Ｎの情報を制御に使用し、低雑音増幅器（ＬＮＡ）４０３をＯＮ／ＯＦＦの２値制御ではなく、中間的な増幅率で制御する例を示す実施形態である。
【００７０】
図１３は、制御部９または制御部２９における動作の一例を説明するフローチャート図である。ここでは、受信信号の受信電力及びＣ／Ｎの情報を制御に使用し、低雑音増幅器（ＬＮＡ）４０３を中間的な増幅率で制御する例を示す。受信信号の受信電力及びＣ／Ｎの情報は、図４で説明した受信電力出力部９５及びＣ／Ｎ出力部９６から得ることができる。
【００７１】
図１３において、処理が開始されると（ＳＴＲＡＴ）、まずステップＳ１３１において、現在、低雑音増幅器（ＬＮＡ）４０３において所定の増幅率で信号が増幅されているかどうかを判定する。ここで、「ＬＮＡ  ＯＦＦ」が増幅しない状態（ＬＮＡを通らない状態）を示す。低雑音増幅器（ＬＮＡ）４０３で受信信号を増幅している場合（ステップＳ１３１；Ｎ）は、ステップＳ１３４に移行する。
【００７２】
ステップＳ１３４において、受信電力が所定値αより大きいか、または１０秒平均Ｃ／Ｎが所定値βより大きいかを判定する。受信電力が所定値αより大きい、または１０秒平均Ｃ／Ｎが所定値より大きい場合（ステップＳ１３４；Ｙ）は、ＬＮＡをＯＦＦにして（ステップＳ１３５）、フローを終了する。ステップＳ１３４において、受信電力が所定値α以下、かつ１０秒平均Ｃ／Ｎが所定値β以下の場合（ステップＳ１３４；Ｎ）は、ＬＮＡはそのままの状態で終了する。
【００７３】
また、ステップＳ１３１において、ＬＮＡがＯＦＦの場合（ステップＳ１３１；Ｙ）は、ステップＳ１３２に移行する。ステップＳ１３２において、受信電力が所定値αより小さく、かつ１０秒平均Ｃ／Ｎが所定値βより小さい場合（ステップＳ１３２；Ｙ）は、低雑音増幅器（ＬＮＡ）４０３を適切な増幅率を設定して（ステップＳ１３３）終了する。ステップＳ１３２において、受信電力が所定値α以上、または１０秒平均Ｃ／Ｎが所定値β以上の場合（Ｎ）は、ＬＮＡがそのままの状態で終了する。
【００７４】
ここで、図１４のフローチャートを参照して、ステップＳ１３３のＬＮＡ増幅率設定処理の動作を説明する。ここで、低雑音増幅器（ＬＮＡ）４０３における適切な増幅率とは、チューナ部７またはチューナ部２７への入力信号が一定になるような増幅率である。
【００７５】
まず処理が開始されると（ＳＴＲＡＴ）、ステップＳ１４１において、チューナ部７（チューナ部２７）への入力信号レベルと所定値（所望の入力レベル）との差分βを算出する。差分βが「０」の場合は（ステップＳ１４２；Ｙ）、図１４のフローチャートを終了し、図１３のフローチャートに戻る。差分βが「０」でない場合は、ステップＳ１４３において、差分βが「０」より小さいか否かを判定する（ステップＳ１４３）。
【００７６】
ここで、差分βが「０」より小さい場合（ステップＳ１４３；Ｙ）は、低雑音増幅器（ＬＮＡ）４０３の増幅率を上げる処理を行う（ステップＳ１４４）。他方、差分βが「０」より大きい場合（ステップＳ１４３；Ｎ）は、低雑音増幅器（ＬＮＡ）４０３の増幅率を下げる処理を行う（ステップＳ１４５）。なお、低雑音増幅器（ＬＮＡ）４０３の増幅率の上げ幅及び下げ幅は差分βの大きさに比例して制御する。
【００７７】
以上の制御により、本実施形態によれば、適切なレベルでの受信が可能になるとともに、適切にＬＮＡをＯＦＦにすることにより消費電力の低減にも貢献することが可能となる。
【００７８】
図１５は、受信装置２１のアンテナ素子部２２、アンテナ素子部２３の構成例を示す模式的な図である。受信装置２１の一例としてワンセグＴＶ対応携帯電話機を示した図であり、アンテナ素子部２２としてＴＶ受信用のホイップアンテナを使用し、アンテナ素子部２３としてイヤホン部１３３に内蔵されたイヤホンアンテナを使用している。イヤホンアンテナの代わりに携帯電話の筐体１３１そのものにアンテナ機能を持たせて、アンテナ素子部２３として使用することもできる。
【００７９】
以上に説明したように、電波を受信するアンテナと、アンテナに接続される低雑音増幅部と、アンテナにより受信された信号を基に低雑音増幅部を制御する制御部と、を有し、該アンテナを介して受信された信号の状況に応じて、前記低雑音増幅部を制御することにより、簡単な制御で適切な受信レベルの調整が可能な受信装置を実現できる。さらに適切にＬＮＡをＯＦＦにすることにより消費電力の低減にも貢献できる。
【００８０】
〔変形例〕
なお、本実施形態においては、携帯型のデジタル放送受信装置について説明したが、本発明が適用できる装置は、携帯型のデジタル放送受信装置に限定されるものではない。例えば、テレビ機能を内蔵したカーナビゲーション装置、ＰＤＡ、コンピュータ等各種電子機器に適用可能であることは勿論である。
【図面の簡単な説明】
【００８１】
【図１】第１実施形態における受信装置の構成例を示すブロック図である。
【図２】第１実施形態におけるアンテナ素子部、切換部の詳細な構成例を示す図である。
【図３】第１実施形態におけるチューナ部の詳細な構成例を示すブロック図である。
【図４】第１実施形態におけるＯＦＤＭ復調部の詳細な構成例を示すブロック図である。
【図５】第１実施形態における制御部の動作の一例を説明するフローチャート図である。
【図６】第１実施形態における制御部が平均Ｃ／Ｎを取得するフローチャート図である。
【図７】第２実施形態における受信装置の構成例を示すブロック図である。
【図８】第２実施形態におけるアンテナ素子部、切換部の詳細な構成例を示す図である。
【図９】第２実施形態における制御部の動作の一例を説明するフローチャート図である。
【図１０】第２実施形態における制御部の動作の一例を説明するフローチャート図である。
【図１１】第２実施形態における制御部の動作の一例を説明するフローチャート図である。
【図１２】第２実施形態における制御部が平均Ｃ／Ｎを取得するフローチャート図である。
【図１３】第３実施形態における制御部の動作の一例を説明するフローチャート図である。
【図１４】第３実施形態における制御部の動作の一例を説明するフローチャート図である。
【図１５】本発明の受信装置の模式的な図である。
【図１６】従来の受信装置の構成例を示すブロック図である
【図１７】従来の別の受信装置の構成例を示すブロック図である。
【符号の説明】
【００８２】
１  デジタル放送受信装置
２、２２，２３  アンテナ素子部
４、２４  アンテナ整合部
７、２７  チューナ部
８、２８  ＯＦＤＭ復調部
９、２９  制御部
１０、３０  フロントエンド部
１１、３１  ＴＳ−ＤＥＭＵＸ部
１２、３２  映像信号処理部
１３、３３  データ信号処理部
１４、３４  オーディオ信号処理部
１５、３５  バックエンド部
１６、３６  映像表示部
１７、３７  オーディオ出力部
２５  アンテナ整合部
２６  切換部
７１  ＲＦアンプ部
７２  ミキサ部
７３  ＩＦフィルタ部
７４  ＩＦアンプ部
７５  ＰＬＬ部
【図１】
2008199347.tif 000003
【図２】
2008199347.tif 000004
【図３】
2008199347.tif 000005
【図４】
2008199347.tif 000006
【図５】
2008199347.tif 000007
【図６】
2008199347.tif 000008
【図７】
2008199347.tif 000009
【図８】
2008199347.tif 000010
【図９】
2008199347.tif 000011
【図１０】
2008199347.tif 000012
【図１１】
2008199347.tif 000013
【図１２】
2008199347.tif 000014
【図１３】
2008199347.tif 000015
【図１４】
2008199347.tif 000016
【図１５】
2008199347.tif 000017
【図１６】
2008199347.tif 000018
【図１７】
2008199347.tif 000019